(57)【要約】【課題】表示装置の設置場所を変更することなく、画面の輝度調整を適切に行う。【解決手段】表示部１の下側外縁部に、表示部１の横幅と略等長の溝３を形成し、溝３には明るさセンサ４を装着した摺動子５を摺動可能に係合させる。使用者が摺動子５を左右に押圧して摺動させ、太陽光２２及び影３３の何れの影響も受けない部位に明るさセンサ４を位置させた場合、表示装置は、明るさセンサ４が本来測定の目的とした光に基づいて、表示部１の輝度を調整する。【選択図】図３
2009003127.tif 000002
【特許請求の範囲】
【請求項１】
周囲の明るさを測定する測定器を有し、該測定器の測定結果に基づいて輝度を増減させた画像を表示する表示装置において、
前記測定器は、測定位置を変更自在にしてあることを特徴とする表示装置。
【請求項２】
前記画像を表示する面の外縁部に略直線的に形成した係合部と、
該係合部に摺動可能に係合させた摺動子と
を備え、
前記測定器は、前記摺動子に装着してあることを特徴とする請求項１に記載の表示装置。
【発明の詳細な説明】
【技術分野】
【０００１】
本発明は、設置環境の明るさに応じて、輝度を適切に調整する表示装置に関する。
【背景技術】
【０００２】
従来より、テレビジョン受像機等の表示装置に明るさセンサを搭載し、周囲の明るさに応じた画面の輝度調整を可能としていた。しかし、明るさセンサの測定位置が固定されていた場合、例えば明るさセンサに太陽光等の外光が入射したとき、又は明るさセンサに入射する照明光の一部が家具等の設置物で遮られたときに、周囲の明るさを適切に検知できないことがあった。また、表示装置の設置場所そのものに制約がある場合が多いため、明るさセンサが表示装置の設置環境に対して望ましい測定位置にあるといえることはむしろ少なかった。
【０００３】
これに対し、特許文献１では、複数の明るさセンサを備え、最も強い明るさを検知したセンサに合わせて、画面の輝度調整を行う技術が開示されている。
【特許文献１】特開平２−１４１７９６号公報
【発明の開示】
【発明が解決しようとする課題】
【０００４】
しかしながら、特許文献１に開示された技術では、表示装置の一部に太陽光等の強い外光が入射している状況において、必要以上に画面全体の輝度が増すことがある、という問題があった。
【０００５】
本発明は斯かる事情に鑑みてなされたものであり、その目的とするところは、周囲の明るさの測定位置を変更自在とし、使用者が測定位置を調整した場合は、調整後の測定位置での明るさに基づいて画面の輝度を調整するように構成することにより、設置場所を変更することなく、画面の輝度調整を適切に行うことが可能な表示装置を提供することにある。
【課題を解決するための手段】
【０００６】
本発明に係る表示装置は、周囲の明るさを測定する測定器を有し、該測定器の測定結果に基づいて輝度を増減させた画像を表示する表示装置において、前記測定器は、測定位置を変更自在にしてあることを特徴とする。
【０００７】
本発明にあっては、周囲の明るさを測定する測定器の測定位置は、所定範囲内で変更自在とし、使用者が前記測定位置を変更した場合は、変更後の測定位置での明るさに基づいて画面の輝度を調整する。これにより、使用者が前記測定器の測定位置を適切に調整した場合は、外光の入射及び室内照明光の遮蔽の影響を受けずに測定した明るさに基づいて、画面の輝度を調整する。
【０００８】
本発明に係る表示装置は、前記画像を表示する面の外縁部に略直線的に形成した係合部と、該係合部に摺動可能に係合させた摺動子とを備え、前記測定器は、前記摺動子に装着してあることを特徴とする。
【０００９】
本発明にあっては、画像を表示する面の外縁部に略直線的に係合部を形成し、該係合部に周囲の明るさを測定する測定器を装着した摺動子を係合させる。使用者が該摺動子を前記係合部に沿って押圧した場合、前記摺動子は周囲の明るさを測定する測定器と共に前記係合部に沿って摺動し、押圧を停止した場合、前記摺動子の摺動も停止する。これにより、使用者は周囲の明るさを測定する測定器の測定位置を簡便に調整することが可能となる。
【発明の効果】
【００１０】
本発明によれば、周囲の明るさを測定する測定器の測定位置は所定範囲内で変更自在にしてあり、使用者が前記測定位置を適切に調整した場合は、外光の入射及び室内照明の遮蔽の影響を受けずに測定した明るさに基づいて、画面の輝度を調整する。従って、表示装置の設置場所を変更することなく、画面の輝度調整を適切に行うことが可能となる。
【発明を実施するための最良の形態】
【００１１】
以下、本発明をその実施の形態を示す図面に基づいて詳述する。
（実施の形態１）
図１は、本発明の実施の形態１に係る表示装置を模式的に示す正面図及び平面視の透視図であり、（ａ）に正面図を、（ｂ）に平面視の透視図を示す。図中１は液晶パネルによる表示部であり、表示部１の外縁部から背面部までを外装２が覆っている。外装２前面の下側周縁部２ａには、表示部１の横幅と略等長の溝３が水平方向に直線的に形成されている。溝３には、周囲の明るさを測定するための明るさセンサ４を装着した摺動子５が、摺動可能に係合されている。明るさセンサ４は、外装２内部のコネクタ６とケーブル６ａで接続されている。使用者は、摺動子５を左右に押圧した場合、摺動子５を摺動させることが可能であり、摺動子５への押圧をなくした場合、摺動子５は当該位置で停止したままとなる。
【００１２】
図２は、実施の形態１に係る表示装置の概略構成を示すブロック図である。制御部１１は、ＣＰＵ、内蔵ＲＯＭ、バスインタフェース及び入出力インタフェースで構成されるマイクロコンピュータである。制御部１１は、バスインタフェースを介して、キャラクタ等の固定データを記憶するＲＯＭ１２、一時的に発生したデータを記憶するＲＡＭ１３、明るさセンサ４、並びに表示部１へ表示する映像の信号処理を行う映像処理部１５と接続されている。制御部１１はまた、入出力インタフェースを介して、明るさセンサ４、映像処理部１５及び表示部１を照光するバックライト１６と接続されている。
【００１３】
制御部１１は、内蔵ＲＯＭに予め格納されているプログラムに従って、ＲＡＭ１３へのデータの読み書き、明るさセンサ４からの明るさの読み出し、映像処理部１５への映像処理制御、及びバックライト１６の輝度制御を行う。制御部１１は、明るさセンサ４から読み出した電圧値としての明るさ及びＲＯＭ１２に予め書き込まれたテーブルに基づいて、バックライト１６の冷陰極管の輝度をＰＷＭ調光（駆動する高周波のデューティを上／下させて調光する方式）により調整する。バックライト１６の輝度は、前記明るさの強／弱に合わせて増／減させるようにしてある。
【００１４】
図３は、実施の形態１に係る表示装置に対する外光及び室内光の影響を模式的に示す説明図である。表示装置の溝３の右端部は、窓２１を透過して入射した太陽光２２に照射されており、明るさの測定には適していない。また、溝３の左端部は、室内照明３１の照明光が家具３２で遮られた影３３に覆われており、こちらも明るさの測定には適さない。このような設置場所において、使用者が摺動子５を左右に押圧して摺動させ、太陽光２２及び影３３の何れの影響をも受けない部位に明るさセンサ４を位置させた場合、表示装置は、明るさセンサ４が本来測定の目的とした光に基づいて、表示部１の輝度を調整する。
【００１５】
実施の形態１にあっては、溝３は表示装置の外装２前面の下側周縁部に形成されているが、これに限定するものではなく、外装２前面の左右周縁部又は上側周縁部に形成してもよい。
【００１６】
また、バックライト１６の冷陰極管の輝度をＰＷＭ調光により調整する構成としたが、これに限定されるものではなく、電圧調光又は電流調光によって調整する構成としてもよい。更に、明るさセンサ４の電圧値としての出力に相関させた電圧を、そのままＰＷＭ調光、電圧調光又は電流調光の制御入力としてもよい。
【００１７】
更にまた、明るさセンサ４のアナログ値としての出力をＡ／Ｄ変換し、変換されたデジタル値をテーブルＲＯＭのアドレス入力に与えて、該テーブルＲＯＭの出力によって決まる電圧をＰＷＭ調光、電圧調光又は電流調光の制御入力とするような構成としてもよい。
【００１８】
（実施の形態２）
図４は、本発明の実施の形態２に係る表示装置を模式的に示す正面図、平面視の透視図及び右側面図であり、（ａ）に正面図を、（ｂ）に平面視の透視図を、（ｃ）に右側面図を示す。図中７は外装２の下部に併設されたスピーカユニットであり、スピーカユニット７と外装２前面の下側周縁部２ｂとの境界部に、表示部１の横幅と略等長の溝３ａが水平方向に直線的に形成されている。このように、溝３ａを機構的に分離される部位の境界に設けることにより、意匠を考慮した構成としている。
【００１９】
実施の形態２に係る表示装置においては、溝３ａの形成部位以外の構成は、実施の形態１と同様であるため、詳細な説明を省略する。
【００２０】
以上のように、本実施の形態１及び２にあっては、明るさセンサの測定位置を摺動子の可動範囲内で変更自在にしてあり、使用者が摺動子を押圧して明るさセンサの位置を適切に調整した場合は、外光の入射及び室内照明の遮蔽の影響を受けずに測定した周囲の明るさに基づいて、画面の輝度調整を適切に行うことが可能となる。
【００２１】
更に、明るさセンサを摺動子に装着してあり、該摺動子を周縁部に形成した溝に沿って摺動させることにより、使用者は明るさセンサの測定位置を簡便に調整することが可能となる。
つまり、使用者が周囲の明るさの測定位置を簡便に調整することが可能な表示装置を提供する、という目的を達することもできる。
【図面の簡単な説明】
【００２２】
【図１】本発明の実施の形態１に係る表示装置を模式的に示す正面図及び平面視の透視図である。
【図２】実施の形態１に係る表示装置の概略構成を示すブロック図である。
【図３】実施の形態１に係る表示装置に対する外光及び室内光の影響を模式的に示す説明図である。
【図４】本発明の実施の形態２に係る表示装置を模式的に示す正面図、平面視の透視図及び右側面図である。
【符号の説明】
【００２３】
１    表示部
２    外装
３    溝
４    明るさセンサ
５    摺動子
６    コネクタ
６ａ  ケーブル
７    スピーカユニット
１１  制御部
１２  ＲＯＭ
１３  ＲＡＭ
１５  映像処理部
１６  バックライト
２１  窓
２２  太陽光
３１  室内照明
３２  家具
３３  影
【図１】
2009003127.tif 000003
【図２】
2009003127.tif 000004
【図３】
2009003127.tif 000005
【図４】
2009003127.tif 000006